(57)【要約】      （修正有）【課題】ルーペとして使用しやすいと共に持ち運びが容易な多用途文房具を提供する。【解決手段】拡大鏡部と、拡大鏡部に連設される定規部とを有する。拡大鏡部は平面円形状に形成され、定規部は平面長方形状に形成され、定規部の幅寸法は拡大鏡部の径寸法よりも小さく形成されている。定規部は、拡大鏡部に固定された固定定規部と、固定定規部の端部に回動固定可能に接合された延長定規部とにより構成され、延長定規部は固定定規部に沿った状態で配置することができるように構成されている。【選択図】図２
0003165844.tif 000002
【実用新案登録請求の範囲】
【請求項１】
拡大鏡部と、上記拡大鏡部に連設され、上記拡大鏡部の径寸法よりも小さな寸法からなる定規部とを有することを特徴とする多用途文房具。
【請求項２】
上記拡大鏡部は平面円形状に形成されると共に上記定規部は平面長方形状に形成され、上記定規部の幅寸法は上記拡大鏡部の径寸法よりも小さく形成されていることを特徴とする請求項１記載の多用途文房具。
【請求項３】
上記定規部は、上記拡大鏡部に固定された固定定規部と、上記固定定規部の端部に回動固定可能に接合された延長定規部とにより構成され、上記延長定規部は上記固定定規部に沿った状態で配置することができるように構成されていることを特徴とする請求項２記載の多用途文房具。
【請求項４】
上記延長定規部は、上記固定定規部の端部に設けられた回動固定部を介して接合され、上記延長定規部は、上記固定定規部よりも短く形成されていると共に、延長定規部を回動させて延長させた場合に、上記延長定規部の幅方向端縁部は上記固定定規部の幅方向端縁部と同一線上に配置されることを特徴とする請求項４記載の多用途文房具。
【請求項５】
上記固定定規部及び延長定規部には、夫々、幅方向反対部位の同寸法位置に目盛及び目盛数値が設けられ、延長定規部が回動固定部を介して回動されて固定定規部に延設された場合には、固定定規部及び延長定規部の長さ方向に沿って目盛及び目盛数値が連続して配置されるように構成されていることを特徴とする請求項４記載の多用途文房具。
【考案の詳細な説明】
【技術分野】
【０００１】
本考案は多用途文房具に係り、特に、ルーペ及び定規の双方に使用できる多用途文房具に関する。
【背景技術】
【０００２】
従来、三角定規等の一部にルーペ部を形成した多用途に使用できる文房具があった（特許文献１及び特許文献２）。
しかしながら、このような文房具にあっては、あくまでも三角定規の一部にルーペ部を形成したものであったことから、ルーペとして使用する場合に使用しにくい、という不具合があった。
【０００３】
また、このような従来の文房具にあっては、全体として所定の大きさになり、持ち運びが不便である、という不具合が存していた。
また、細長長方形状の定規の端部にルーペ部を形成したものも販売されていたが、定規が所定の長さ寸法になり、やはり全体として所定の大きさになってしますことから、上記同様に持ち運びに不便である、という不具合があった。
【特許文献１】実開昭６０−８０９９０号公報
【特許文献２】実開昭６３−１２１５９３号公報
【考案の開示】
【考案が解決しようとする課題】
【０００４】
本考案はこのような従来からの要請に応えるものであって、その課題は、ルーペとして使用しやすいと共に持ち運びが容易な多用途文房具を提供することにある。
【課題を解決するための手段】
【０００５】
請求項１記載の考案にあっては、拡大鏡部と、上記拡大鏡部に連設され、上記拡大鏡部の径寸法よりも小さな寸法からなる定規部とを有することを特徴とする。
従って、請求項１記載の考案にあっては、定規部を手で保持して拡大鏡部を拡大して見たい対象に当てることにより拡大鏡として使用することができる。
【０００６】
請求項２記載の考案にあっては、上記拡大鏡部は平面円形状に形成されると共に上記定規部は平面長方形状に形成され、上記定規部の幅寸法は上記拡大鏡部の径寸法よりも小さく形成されていることを特徴とする。
【０００７】
請求項３記載の考案にあっては、上記定規部は、上記拡大鏡部に固定された固定定規部と、上記固定定規部の端部に回動固定可能に接合された延長定規部とにより構成され、上記延長定規部は上記固定定規部に沿った状態で配置することができるように構成されていることを特徴とする。
【０００８】
従って、請求項３記載の考案にあっては、非使用時には上記延長定規部は上記固定定規部に沿った状態で配置されることから、定規部を全体として短い状態にまとめることができ、その状態で定規部を把持してルーペとして拡大鏡部を使用することができる。
また、定規として使用する場合には、延長定規部を回動させて固定定規部に沿った状態に配置する。
【０００９】
請求項４記載の考案にあっては、上記延長定規部は、上記固定定規部の端部に設けられた回動固定部を介して接合され、上記延長定規部は、上記固定定規部よりも短く形成されていると共に、延長定規部を回動させて延長させた場合に、上記延長定規部の幅方向端縁部は上記固定定規部の幅方向端縁部と同一線上に配置されることを特徴とする。
従って、請求項４記載の考案にあっては、非使用時には上記延長定規部を回動固定部により回動させると共に固定定規部に沿った状態で固定することができ、定規として使用する場合に、延長定規部を回動させて延長させた場合に、上記延長定規部の幅方向端縁部は上記固定定規部の幅方向端縁部と同一線上に配置される。
【００１０】
請求項５記載の考案にあっては、上記固定定規部及び延長定規部には、夫々、幅方向反対部位の同寸法位置に目盛及び目盛数値が設けられ、延長定規部が回動固定部を介して回動されて固定定規部に延設された場合には、固定定規部及び延長定規部の長さ方向に沿って目盛及び目盛数値が連続して配置されるように構成されていることを特徴とする。
従って、請求項５記載の考案にあっては、定規として使用するために延設定規部を固定定規部に沿って延設した場合には、固定定規部及び延長定規部の長さ方向に沿って目盛及び目盛数値が連続して配置される。
【考案の効果】
【００１１】
請求項１記載の考案にあっては、定規部を手で保持して拡大鏡部を拡大して見たい対象に所定間隔を置いて当てることにより拡大鏡として使用することができることから、従来の、一部にルーペ部が形成された三角定規等とは異なり、ルーペとして使用する場合に使用しやすい。
【００１２】
また、ルーペ部よりも定規部の方が小さく形成されていることから、従来の一部にルーペ部が形成された三角定規等とは異なり、全体としての大きさが一定の大きさ以上とはならず、持ち運びが容易である。
【００１３】
請求項２記載の考案にあっては、上記拡大鏡部は平面円形状に形成されると共に上記定規部は平面長方形状に形成され、上記定規部の幅寸法は上記拡大鏡部の径寸法よりも小さく形成されていることから、ルーぺとして使用する場合には定規部を手で把持して使うことができ、ルーペとして使用しやすい。
【００１４】
請求項３記載の考案にあっては、非使用時には上記延長定規部は上記固定定規部に沿った状態で配置されることから、定規部を全体として短い状態にすることができ、その状態で定規部を把持して拡大鏡部を使用することができることから、従来の、三角定規の一部にルーペ部が形成されたものと比較して、ルーペとしての使用が容易となる。
【００１５】
定規として使用する場合には、延長定規部を回動させて固定定規部に沿った状態に配置するように構成されていることから、固定定規部及び延長定規部が全体として１本の定規を構成するため、定規として所定の長さ寸法を有することとなり、定規として使用しやすい。
【００１６】
請求項４記載の考案にあっては、非使用時には上記延長定規部を回動固定部により回動させると共に固定定規部に沿った状態で固定することができることから、定規として使用しない際には延長定規部と固定定規部とをまとめた状態に配置することができ、ルーぺとして使用する際の把持部として使用しやすいと共に、持ち運びの際にも容易である。
また、上記延長定規部は、上記固定定規部よりも短く形成されていると共に、延長定規部を回動させて延長させた場合に、上記延長定規部の幅方向端縁部は上記固定定規部の幅方向端縁部と同一線上に配置されることから、定規として使用する場合に使用しやすい。
【００１７】
請求項５記載の考案にあっては、定規として使用するために延設定規部を固定定規部に沿って延設した場合には、固定定規部及び延長定規部の長さ方向に沿って目盛及び目盛数値が連続して配置されることから、使用者は目盛及び目盛数値を見やすく、定規として使用がしやすい、という効果を奏する。
【図面の簡単な説明】
【００１８】
【図１】本考案に係る多用途文房具の一実施の形態を示す平面図であって、延長定規部を折り畳んだ状態を示す図である。
【図２】本考案に係る多用途文房具の一実施の形態を示す平面図であって、延長定規部を伸ばした状態を示す図である。
【考案を実施するための最良の形態】
【００１９】
図１及び図２に示すように、本実施の形態に係る多用途文房具１０は、拡大鏡部１１と、上記拡大鏡部１１に連設され、上記拡大鏡部１１の径寸法よりも小さな寸法からなる定規部１２とを有している。
【００２０】
上記拡大鏡部１１は平面円形状に形成されると共に、上記定規部１２は平面長方形状に形成され、上記定規部１２の幅寸法は上記拡大鏡部１１の径寸法よりも小さく形成されており、本実施の形態にあっては、定規部１２の幅寸法は拡大鏡部１１の幅寸法の約１／３に形成されている。
【００２１】
上記定規部１２は、上記拡大鏡部１１に固定された固定定規部１３と、上記固定定規部１３の端部に回動固定可能に接合された延長定規部１４とにより構成されており、上記延長定規部１４は、上記固定定規部１３の端部に設けられた回動固定部１５を介して接合され、上記延長定規部１４は上記固定定規部１３に沿った状態で配置することができるように構成されている。
【００２２】
上記固定定規部１３及び延長定規部１４の幅方向一端部には計測用の目盛１６及び数値１７が配設されており、これらの目盛１６は固定定規部１３及び延長定規部１４のいずれにおいて同じ長さ寸法に形成されると共に、目盛数値１７は幅方向において同一の位置に同じ字体、大きさで配置されている
図１に示すように、上記固定定規部１３及び延長定規部１４には、夫々、幅方向反対部位の同寸法位置に目盛１６ａ、１６ｂ及び目盛数値１７ａ、１７ｂが設けられ、図２に示すように、延長定規部１４が回動固定部１３を介して回動されて固定定規部１３に延設された場合には、固定定規部１３及び延長定規部１４の長さ方向に沿って、目盛１６ａ、１６ｂ及び目盛数値１７ａ、１７ｂが連続して配置されるように構成されている。
【００２３】
また、本実施の形態にあっては、多用途定規１０を縦方向に使用する場合に視認する縦目盛数値１９ａ、１９ｂが、固定定規部１３及び延長定規部１４の、夫々、幅方向反対部位の同寸法位置に、配設されている。
上記回動固定部１５は、小径の円盤状に形成され、軸部１８により固定定規部１３及び延長定規部１４の端部に回動可能に固定されている。
上記延長定規部１４は、上記固定定規部１３よりも短く形成されていると共に、延長定規部１４を回動させて延長させた場合に、上記延長定規部１４の幅方向端縁部は上記固定定規部１３の幅方向端縁部と同一線上に配置されるように接合されている。
【００２４】
以下、本実施の形態に係る多用途文房具１０の使用の仕方について説明する。
本実施の形態に係る多用途文房具１０をルーペとして使用する場合には、図１に示すように、接合定規部１４を折り畳み、上記固定定規部１３に沿わせた状態にして、この状態で固定定規部１３及び接合定規部１４を手で把持して、拡大鏡部１１を拡大して見たい対象に、所定間隔をおいて当てて見ることができる。また、通常、この状態で保管したり、持ち運ぶことから、嵩張らず持ち運ぶのが容易である。
【００２５】
また、本実施の形態に係る多用途文房具１０を定規として使用する場合には、図２に示すように、延長定規部１４を上記回動固定部１５を介して回動させて、固定定規部１３と一直線上になるように配置して、固定定規部１３及び延長定規部１４により定規部１２を形成する。
【００２６】
その結果、このように、延長定規部１４を回動させて固定定規部１３に延設させた状態の場合には、上記目盛１６ａ、１６ｂは、固定定規部１３及び延長定規部１４を通じて同じ長さ寸法に形成されると共に、目盛数値１７ａ、１７ｂは同じ字体、大きさであって、かつ、夫々、幅方向反対部位の同寸法位置に目盛及び目盛数値が設けられていることから、固定定規部及び延長定規部の長さ方向に沿って目盛及び目盛数値が連続して配置され、使用者には、固定定規部１３及び延長定規部１４が一体となって、一本の定規のように見える。
従って、使用者は何ら違和感を持つことなく、定規部１２を使用して計測を行うことができる。
【符号の説明】
【００２７】
１０  多用途文房具
１１  拡大鏡部
１２  定規部
１３  固定定規部
１４  延長定規部
１５  固定回動部
１６  目盛
１７  目盛数値
１８  軸部
１９  縦目盛数値
【図１】
0003165844.tif 000003
【図２】
0003165844.tif 000004
【手続補正書】
【提出日】平成22年11月19日(2010.11.19)
【手続補正１】
【補正対象書類名】実用新案登録請求の範囲
【補正対象項目名】全文
【補正方法】変更
【補正の内容】
【実用新案登録請求の範囲】
【請求項１】
拡大鏡部と、上記拡大鏡部に連設され、上記拡大鏡部の径寸法よりも小さな寸法からなる定規部とを有することを特徴とする多用途文房具。
【請求項２】
上記拡大鏡部は平面円形状に形成されると共に上記定規部は平面長方形状に形成され、上記定規部の幅寸法は上記拡大鏡部の径寸法よりも小さく形成されていることを特徴とする請求項１記載の多用途文房具。
【請求項３】
上記定規部は、上記拡大鏡部に固定された固定定規部と、上記固定定規部の端部に回動固定可能に接合された延長定規部とにより構成され、上記延長定規部は上記固定定規部に沿った状態で配置することができるように構成されていることを特徴とする請求項２記載の多用途文房具。
【請求項４】
上記延長定規部は、上記固定定規部の端部に設けられた回動固定部を介して接合され、上記延長定規部は、上記固定定規部よりも短く形成されていると共に、延長定規部を回動させて延長させた場合に、上記延長定規部の幅方向端縁部は上記固定定規部の幅方向端縁部と同一線上に配置されることを特徴とする請求項３記載の多用途文房具。
【請求項５】
上記固定定規部及び延長定規部には、夫々、幅方向反対部位の同寸法位置に目盛及び目盛数値が設けられ、延長定規部が回動固定部を介して回動されて固定定規部に延設された場合には、固定定規部及び延長定規部の長さ方向に沿って目盛及び目盛数値が連続して配置されるように構成されていることを特徴とする請求項４記載の多用途文房具。